(57)【要約】【課題】  低価格の小型監視装置を使用することにより、低価格機器で構成される情報システムに対する監視サービスとして利用可能であり、また、システム全体の管理を行うことができる小型無線監視システムを提供する。【解決手段】  監視対象の情報システムの各構成機器３１にそれぞれ設置して監視する複数の小型監視装置１１と、複数の小型監視装置１１が収集した機器監視情報を無線で受信する無線中継装置１２と、無線中継装置１２と送受信を行うサービスセンタ用装置２とを備え、情報システム全体の監視を行う小型無線監視システムにおいて、無線中継装置１２は、複数の小型監視装置１１がそれぞれ収集した機器監視情報を分析し、分析機器情報をサービスセンタ用装置２に送信する。管理装置３２に接続して管理監視情報を収集し、サービスセンタ用装置２に送信する監視装置１３を備える。【選択図】      図１
2006221239.tif 000002
【特許請求の範囲】
【請求項１】
監視対象の情報システムの各構成機器にそれぞれ設置して監視する複数の小型監視装置と、該複数の小型監視装置が収集した機器監視情報を無線で受信する無線中継装置と、該無線中継装置と送受信を行うサービスセンタ用装置とを備え、情報システム全体の監視を行う小型無線監視システムにおいて、
前記無線中継装置は、複数の小型監視装置がそれぞれ収集した機器監視情報を分析し、分析機器情報をサービスセンタ用装置に送信することを特徴とする小型無線監視システム。
【請求項２】
請求項１記載の小型無線監視システムにおいて、
前記監視対象の情報システムの管理装置に接続して管理監視情報を収集し、前記サービスセンタ用装置に送信する監視装置を備えることを特徴とする小型無線監視システム。
【請求項３】
請求項２記載の小型無線監視システムにおいて、
前記サービスセンタ用装置は、無線中継装置が送信した分析機器情報と監視装置が送信した管理監視情報とを使用して監視対象の情報システムの詳細監視情報を得ることを特徴とする小型無線監視システム。
【請求項４】
請求項２記載の小型無線監視システムにおいて、
前記サービスセンタ用装置は、無線中継装置が送信した分析機器情報と監視装置が送信した管理監視情報とを使用して不具合が有った構成機器の機器監視情報を推測することを特徴とする小型無線監視システム。
【発明の詳細な説明】
【技術分野】
【０００１】
本発明は、小型無線監視システムであり、特に小型無線監視装置にて収集する監視情報と、監視対象の情報システムの管理ソフトウエアの情報をサービスセンタで収集・監視することにより、情報システム全域に対する監視サービスを提供するサポートシステムに関する。
【背景技術】
【０００２】
情報システムを構成する機器毎または少数の機器群毎に監視装置を設置して監視情報をサービスセンタで監視している（特許文献１参照）が、監視装置や監視用のネットワーク、回線の費用負担が問題となって、低価格機器で構成される情報システムに対する監視サービスの利用が少なかった。また、監視経路が１つのため、システム全体の管理は困難であった。
【特許文献１】特開２００４−１６４４４３号公報
【発明の開示】
【発明が解決しようとする課題】
【０００３】
本発明は、従来の問題を解決するものであり、低価格の小型監視装置を使用することにより、低価格機器で構成される情報システムに対する監視サービスとして利用可能であり、また、システム全体の管理を行うことができる小型無線監視システムを提供することを目的とする。
【課題を解決するための手段】
【０００４】
本発明は、監視対象の情報システムの各構成機器にそれぞれ設置して監視する複数の小型監視装置と、該複数の小型監視装置が収集した機器監視情報を無線で受信する無線中継装置と、該無線中継装置と送受信を行うサービスセンタ用装置とを備え、情報システム全体の監視を行う小型無線監視システムにおいて、前記無線中継装置は、複数の小型監視装置がそれぞれ収集した機器監視情報を分析し、分析機器情報をサービスセンタ用装置に送信する小型無線監視システムである。
【０００５】
また、本発明は、前記監視対象の情報システムの管理装置に接続して管理監視情報を収集し、前記サービスセンタ用装置に送信する監視装置を備える小型無線監視システムである。
【０００６】
そして、本発明は、前記サービスセンタ用装置は、無線中継装置が送信した分析機器情報と監視装置が送信した管理監視情報とを使用して監視対象の情報システムの詳細監視情報を得る小型無線監視システムである。
【０００７】
更に、本発明は、前記サービスセンタ用装置は、無線中継装置が送信した分析機器情報と監視装置が送信した管理監視情報とを使用して不具合が有った構成機器の機器監視情報を推測する小型無線監視システムである。
【発明の効果】
【０００８】
本発明によれば、低価格機器で構成される情報システムに対する監視サービスとして利用可能であり、また、監視システム全体の管理を行うことができる小型無線監視システムを得ることができる。
【発明を実施するための最良の形態】
【０００９】
本発明を実施するための最良の形態を説明する。
本発明の小型無線監視システムの一実施例について、図面を用いて説明する。
【実施例】
【００１０】
実施例を説明する。本実施例の小型無線監視システムは、図１に示すように、小型監視装置１１と、無線中継装置１２と、監視装置１３と、サービスセンタ用装置２とからなる。小型監視装置１１は、監視対象の情報システムの構成機器３１にそれぞれ設置して監視し、収集した機器監視情報を無線中継装置１２に送信する。無線中継装置１２は、複数の小型監視装置１１からの機器監視情報を受信して分析し、分析結果である分析機器情報をサービスセンタ用装置２に送信する。監視装置１３は、監視対象の情報システムの管理装置３２、業務装置３３を監視し、管理監視情報をサービスセンタ用装置２に送信する。情報システムの管理装置３２は、管理ソフトウエア、管理情報などを格納している。業務装置３３は、業務アプリケーションなどを格納している。情報システムの管理装置３２と業務装置３３は、ＬＡＮなどのネットワーク３４を介して構成機器３１と接続されている。
【００１１】
サービスセンタに設置されたサービスセンタ用装置２は、無線中継装置１２からの機器監視情報と監視装置１３からの管理監視情報とを使用し、構成機器３１、管理装置３２及び業務装置３３からなる情報システム全体の監視を行う。サービスセンタ用装置２は、無線中継装置１２経由の情報と監視装置１３経由の情報を使用して監視を行うため、監視対象の情報システムの詳細監視情報を得ることができ、また、一部の構成機器３１が不具合となり、一部の機器監視情報が欠落しても、他の危機管理情報と管理監視情報などから推測することができる。
【００１２】
以上実施例で説明したが、本発明の特徴は、以下の通りである。
（１）情報システムを管理するために導入している管理ソフトウエアの収集情報をサービスセンタで監視することにより、情報システムの機器、ネットワーク、システム全体の状態（障害、性能、稼働率、情報量・負荷、など）の監視サービスを提供することができる。
（２）無線ネットワークを利用した小型監視装置を情報システムの構成機器に接続し、機器の情報を無線中継装置に無線通信で送信する。無線中継装置では、複数の構成機器から収集した情報を分析・判断し、重要度の高い情報をサービスセンタ用装置へ送信する情報システムの監視サービスを提供する。これにより、
１）サービスセンタ用装置の負荷を軽減することができる。
２）小型、無線により、情報システムの構成機器や構成機器以外の状態を監視することが可能である。
３）監視システムを安価にすることができる。
（３）（１）と（２）を組合わせることにより、より詳細な情報を収集でき、サービスセンタで高度な分析を行って、高い品質のサービスが提供できる。
（４）（１）と（２）を組合わせることにより、２つのネットワークの経路で情報を収集するため、障害などで片方のネットワーク経路が断たれても、監視サービスを持続して提供できる。また、復旧のための障害部位切り分けも可能である。
【図面の簡単な説明】
【００１３】
【図１】実施例の小型無線監視システムの説明図。
【符号の説明】
【００１４】
１１  小型監視装置
１２  無線中継装置
１３  監視装置
２  サービスセンタ、サービスセンタ用装置
３１  監視対象機器
３２  監視対象管理装置
３３  監視対象業務用装置
３４  ＬＡＮ
【図１】
2006221239.tif 000003